(57)【特許請求の範囲】
【請求項１】
電源供給によって回転磁界を発生させる固定子と、
前記回転磁界によって回転する回転子と、
前記回転子と同軸で、回転方向が予め定められた一方向回転ファンを構成する冷却ファンと、
前記冷却ファンに取り付けられ、前記定められた回転方向と逆方向に回転すると音を発する警笛とを備え、
前記冷却ファンはファンボスと該ファンボスの一側の面に設けられた複数の羽根とを備え、
前記警笛は前記複数の羽根の裏面側のファンベースに取り付けられているものである電動機。
【請求項２】
請求項１に記載の電動機において、
前記警笛は、前記冷却ファンの周方向に複数取り付けられ、且つ、該周方向に等間隔に配置されているものである電動機。
【請求項３】
請求項１又は２に記載の電動機において、
前記警笛は可動弁を備え、該可動弁は、前記冷却ファンが前記定められた回転方向に回転すると閉じた状態となり音を発せず、前記定められた回転方向と逆方向に回転すると開いた状態となり音を発するものである電動機。
【請求項４】
請求項１〜３のいずれか一項に記載の電動機において、
前記警笛の取付けを一方向にのみ可能とする警笛取付けガイドを前記警笛の取付け位置に設けたものである電動機。
【請求項５】
電源供給によって回転磁界を発生させる固定子と、
前記回転磁界によって回転する回転子と、
前記回転子と同軸で、回転方向が予め定められた一方向回転ファンを備えた冷却ファンと、
前記冷却ファンに取り付けられ、前記定められた回転方向と逆方向に回転すると音を発する警笛とを備え、
前記警笛の取付けを一方向にのみ可能とする警笛取付けガイドを前記警笛の取付け位置に設けたものである電動機。
【発明の詳細な説明】
【技術分野】
【０００１】
本発明は、電動機に関する。
【背景技術】
【０００２】
一般に、電動機は双方向の回転が可能である場合が多く、電動機に冷却ファンが取り付けられる場合には、いずれの方向に回転しても同等の冷却性能を得ることが必要とされる。したがって、冷却ファンには両方向回転ファンが用いられるのが一般的である。このような従来技術として、例えば特許文献１のように、両方向回転ファンとして機能する外扇ファンの羽根部材の両側を凹形状として冷却性能の向上を図っているものがある。この従来技術とは別に、ファンによる送風性能を向上させる技術としては、例えば特許文献２のように、プロペラファンのように一方向回転を主としたものが知られている。
【０００３】
また、電子機器等の冷却用やクリーンルーム等のフィルタ用のモータファンにおいて、逆回転による冷却能力やフィルタ能力の低下を防止するために、例えば特許文献３及び４のように、逆回転となっていることを笛によって報知するようにした技術がある。しかし、この技術は、モータファンによって発生させる送風の風向きが逆回転により正回転方向時と全く逆になる場合に、それを報知する上記笛を、モータ本体ではなく、モータ以外の周辺部品や設備の中で風の流れを受ける場所に設けたものである。
【先行技術文献】
【特許文献】
【０００４】
【特許文献１】特開２００９−５５３３号公報
【特許文献２】特開２００７−４０２０２号公報
【特許文献３】実開昭６２−１６８７０８号公報
【特許文献４】特開２００４−１０１０６７号公報
【発明の概要】
【発明が解決しようとする課題】
【０００５】
電動機に取り付けられている冷却ファンには、どちらの方向にも回転させることができる両方向回転ファンと、回転方向が予め定められた一方向回転ファンが存在する。この内、一方向回転ファンは、予め定められた回転方向と逆方向に回転した場合には、その冷却能力が低下し電動機として所定の性能が発揮されないことになる。
【０００６】
上記冷却ファンは、構造的に、空気を押すことで風を発生させる羽根を設けており、例えば図１に示す冷却ファン３では、矢印で示すような風の流れを発生させる。両方向回転ファンは、図１１の上図のように、放射状に羽根（３ｄ）を中心線に対して角度を持たせることなしに配置しているのに対し、一方向回転ファンは、図１１の下図のように、放射状に羽根（３ｅ，３ｆ）を中心線に対して角度を付けて配置している。
【０００７】
このように、一方向回転ファンの羽根が中心線に対して角度を付けて配置されているため、予め定められた回転方向と逆方向に回転した場合には、図１に矢印で示す風の流れとして発生する風の量（風量）が低下することにより、電動機の冷却性能の低下を招き問題となる。
【０００８】
そこで、正しい回転方向がわかるように銘板等で表示し注意を促しているが、表示を見逃す等により電動機を予め定められた回転方向と逆方向に回転させて運転した場合、電動機の回転速度が速いので目視でその回転方向を確認することは難しく、逆方向に回転していることを直に発見することは困難である。
【０００９】
本発明は、一方向回転ファンが取り付けられている電動機の設置時あるいはメンテナンス時に、逆回転となることを防止するために逆回転を報知することを課題とするものである。
【課題を解決するための手段】
【００１０】
上記課題を解決するために、本発明は、一方向ファンが取り付けられた電動機が予め定められた回転方向と逆方向に回転した場合に、それを音で報知する警笛を設けたものである。また、上記電動機が予め定められた方向に回転している場合には、上記警笛が音を鳴らすことを防止する可動弁を設けたものである。そしてまた、上記警笛を一方向回転ファンに取り付ける際に、間違った方向に取り付けられないように警笛取付けガイドを上記警笛の取付け位置に設けたものである。
【００１１】
上記の構成とすることで、一方向回転ファンを予め定められた回転方向と逆方向に回転させた場合に、上記警笛により音を発生させ報知することを可能としたものである。
【発明の効果】
【００１２】
本発明によれば、一方向回転ファンが取り付けられた電動機を、予め定められた回転方向と逆方向に回転させた場合に、電動機に設けた警笛により音を発生させることによりその逆回転を報知することが可能となる。
【図面の簡単な説明】
【００１３】
【図１】本実施例の電動機全体を説明する図
【図２】本実施例の電動機に取り付けられる冷却ファンを説明する図
【図３】警笛の取付け位置の避けるべき比較例を説明する図
【図４】警笛の取付け位置の実施例を説明する図
【図５】警笛の形状の実施例を説明する図
【図６】警笛取付けガイドの形状の実施例を説明する図
【図７】警笛取付けの実施例を説明する図
【図８】可動弁の実施例を説明する図（ａ）可動弁が閉じた状態図（ｂ）可動弁が開いた状態図
【図９】予め定められた方向に回転した場合の可動弁の実施例を説明する図
【図１０】予め定められた方向と逆方向に回転した場合の可動弁の実施例を説明する図
【図１１】両方向回転ファンと一方向回転ファンの比較図
【発明を実施するための形態】
【００１４】
図１は、本実施例の電動機全体を説明する図である。本実施例の電動機は、電源供給を受ける固定子１、該固定子１からの回転磁界によって回転する回転子２、該回転子２と同軸である冷却ファン３、電動機のハウジング４、ハウジング冷却フィン５、ブラケット６、軸７、軸受８、冷却ファン３のファンカバー９から構成され、回転軸１０で回転するものである。
【００１５】
図２に示す冷却ファン３は、回転軸１０を中心として回転するもので、ファンボス３ａ、ファンベース３ｂ及び羽根３ｃを有している。
そしてこの冷却ファン３におけるファンベース３ｂに、警笛１１（図２）及び警笛取付けガイド１２（図６）を設ける。
【００１６】
第１に、警笛１１の取付け位置については、図３のように羽根３ｄと羽根３ｅの間に警笛１１ａを取り付けてしまうと、冷却ファン３が発生する風の流れを阻害してしまうことになるので、図４のように羽根３ｃの裏側のファンベース３ｂに取り付けることにより、この風の流れが阻害されることを抑制することができる。
【００１７】
また、図３の警笛１１ｄ、１１ｅのようにファンボス３ａ付近ではなく、図４の警笛１１ｆ、１１ｇ、１１ｈのようにファンベース３ｂの外輪近辺を取付け位置とすることにより、警笛１１が風をより多く取り込むことができる。
【００１８】
第２に、警笛１１の取付け数量については、図３及び図４のように複数個取り付けることにより、警笛として確実に機能させることができる。
【００１９】
また、回転体に取り付けるため、図３の警笛１１ａ、１１ｂ、１１ｃのようにそれぞれの取付け間隔が異なるのではなく、図４の警笛１１ｆ、１１ｇ、１１ｈのように冷却ファン３の周方向に対して等間隔に取り付けることにより、冷却ファンの重量バランスを取ることができる。
【００２０】
第３に、警笛１１の形状については、予め定められた回転方向に回転した場合に、例えば図５の警笛１１ｉのようなテーパを付けることにより、警笛１１の空気抵抗を低減させることができる。
【００２１】
また、警笛１１の取付けに関連させてその形状として、例えば図５の警笛１１ｉや図６の警笛取付けガイド１２ａのように、警笛１１及び警笛取付けガイド１２の幅寸法について、正回転方向側部分が逆回転方向側より細くなるような形状にする。このような形状にすることにより、警笛１１の取付け方向を誤ることがないようにすることができる。すなわち、図７のとおり、警笛１１は決められた方向にのみ取り付けられるようになる。そして、警笛１１を取り付ける方向が特定の方向に規制される形状であれば、上記形状に捉われるものではない。なお、警笛１１は、図７から図１０に示すように、警笛取付けネジ１５によって所定の位置に取り付けられる。
【００２２】
そしてまた、警笛１１の形状として、例えば図５の矢印１４のように、警笛１１の上面に回転方向を示す矢印を表示することにより、警笛１１の動作方向について電動機の予め定められた回転方向をわかりやすくすることができる。
【００２３】
第４に、警笛１１の構成要素について、図５の警笛１１ｉに設けた可動弁１３は、冷却ファン３が回転することで発生する空気の流れによって、図８（ａ）の可動弁１３ｂのようにそれが閉じた状態と、図８（ｂ）の可動弁１３ｃのようにそれが開いた状態に、それぞれ変化させるものである。これにより、冷却ファン３が予め定められた回転方向で回転した場合は、図９のように可動弁１３ｂが閉じることで、警笛１１内部への空気（Ｎ）の侵入を防ぎ音を発生させないとともに、警笛１１内部への塵埃などの侵入を防止することができる。そして、冷却ファン３が予め定められた回転方向と逆方向に回転した場合は、図１０のように、警笛１１内部を通過した空気（Ｐ）によって可動弁１３ｃが開き音を発生させる。
【００２４】
このように、可動弁１３は、予め定められた回転方向に回転した場合に、可動弁１３が空気を受け閉じる構造であるため、例えば図８（ｂ）のＬ部拡大図に示す可動弁１３ａのように出っ張りを設けて角度Ｍをもたせることにより、風を受け易い構造とすることができる。
【００２５】
上記実施例によれば、一方向回転ファンが取り付けられた電動機の回転方向が予め定められた回転方向と逆方向に回転した場合に、音を発生させて報知することができる。また、前記した可動弁１３の構造により、警笛１１内部への塵埃などの侵入を防止することもできるので、塵埃が多い場合であってもその機能を果たすことができる。
【００２６】
本実施例は、電動機の設置時あるいはメンテナンス時に機能すれば良いものであり、メンテナンス時においても、前記可動弁１３の構造により、警笛１１内部に塵埃が侵入して来ないので警笛１１を正常に機能させることができる。また、電動機の設置時あるいはメンテナンス時と同時に、警笛１１について清掃を実施すればより確実にその機能を果たすこともできる。
【００２７】
以上のとおり、上記の実施例で示した警笛は説明のための一例であってこれに限定されるものではなく、その機能を奏するものであれば、実際の設計、製品化の時に適宜の変更を加えても良いものである。
【産業上の利用可能性】
【００２８】
本発明は、一方向回転ファンが取り付けられた電動機の回転方向が予め定められた回転方向と逆方向に回転した場合に、音を発生させて報知することができるものであるから、上記電動機の設置時あるいはメンテナンス時において利用可能である。また、多少の塵埃の左右されず機能するのでそのような環境下においても有効である。
【符号の説明】
【００２９】
１：固定子
２：回転子
３：冷却ファン
３ａ：ファンボス
３ｂ：ファンベース
３ｃ〜３ｇ：羽根
４：ハウジング
５：ハウジング冷却フィン
６：ブラケット
７：軸
８：軸受
９：ファンカバー
１０：回転軸
１１：警笛
１１ａ〜１１ｉ：警笛
１２：警笛取付けガイド
１２ａ：警笛取付けガイド
１３：可動弁
１３ａ〜１３ｃ：可動弁
１４：回転方向矢印
１５：警笛取付けネジ
【図１】
0005955107.tif 000002
【図２】
0005955107.tif 000003
【図３】
0005955107.tif 000004
【図４】
0005955107.tif 000005
【図５】
0005955107.tif 000006
【図６】
0005955107.tif 000007
【図７】
0005955107.tif 000008
【図８】
0005955107.tif 000009
【図９】
0005955107.tif 000010
【図１０】
0005955107.tif 000011
【図１１】
0005955107.tif 000012